(57)【要約】【課題】  駅等のＩＣカード積増し装置が設置された特定の場所に出向くことなく、路線バスの車両内でＩＣカードの積増しができるＩＣカード積増し装置を提供する。【解決手段】  積増しモードにおいて、ＩＣカードがＩＣカードリーダライタ２で検出されると（Ｓ１７）、ＩＣカードに記録されているカードＩＤが読取られ（Ｓ１８）、ワークメモリ５４に記憶される。紙幣処理部３２に紙幣が投入されると（Ｓ２０）、紙幣計数手段３２ｂによって投入された紙幣の金額が計数され、その金額が上記ワークメモリ５４に記憶される（Ｓ２１）。積増しすべきＩＣカードをＩＣカードリーダライタ２に再度かざすと、カードＩＤが読取られ、そのカードＩＤがワークメモリ５４に記憶されたカードＩＤと一致すると（Ｓ２５）、ワークメモリ５４に記憶された紙幣金額をＩＣカードに積増す（Ｓ２６）。【選択図】      図３
2005100294.tif 000002
【特許請求の範囲】
【請求項１】
少なくともＩＣカードに記録されたカードＩＤと金額データとを読取り、かつ、金額データをＩＣカードに記録するＩＣカードリーダライタと、
投入された貨幣の金額を読取る貨幣処理手段と、
上記ＩＣカードリーダライタによって読取られたカードＩＤと上記貨幣処理手段によって読取られた貨幣金額とを記憶する記憶手段とを備えたＩＣカード積増し装置において、  上記ＩＣカードリーダライタにＩＣカードがかざされると、該ＩＣカードに記録されたカードＩＤが読取られるとともに上記記憶手段に記憶され、
その後、投入された貨幣が上記貨幣処理手段によって読取られるとともに上記記憶手段に記憶され、
再度、上記ＩＣカードリーダライタにＩＣカードがかざされることによって読取られたカードＩＤが、上記記憶手段に記憶されたカードＩＤと一致すると、該ＩＣカードから読取られた金額データに、上記記憶手段に記憶された貨幣金額を加算して、加算後の金額データを上記ＩＣカードリーダライタを介して該ＩＣカードに記録することを特徴とするＩＣカード積増し装置。
【請求項２】
ＩＣカードに記憶された乗車地データと現在地とから乗車運賃を算出し、該乗車運賃を該ＩＣカードに記憶された金額データから減算処理して、減算後の金額を新たな金額データとして該ＩＣカードに記録するＩＣカード式運賃精算処理手段と、
上記請求項１に記載のＩＣカード積増し装置の有するＩＣカード積増し手段とを備えたＩＣカード式運賃精算装置であって、
運賃精算またはＩＣカードの積増しのいずれかを選択する選択手段を有し、
上記選択手段でＩＣカードの積増しが選択されると、上記ＩＣカード積増し手段によりＩＣカードの積増し処理を行うことを特徴とするＩＣカード式運賃精算装置。
【発明の詳細な説明】
【技術分野】
【０００１】
本発明は、路線バス等の交通機関において用いられる非接触式ＩＣカード式乗車券の金額データの積増し装置およびそれを備えたＩＣカード式運賃精算装置に関する。
【背景技術】
【０００２】
ＩＣカード式乗車券は、ＩＣカード積増し装置に貨幣を投入し、その金額をＩＣカードに積増すことにより、繰り返し利用することができる。従来のＩＣカード積増し装置は、ＩＣカードをＩＣカード積増し装置内に取込み、ＩＣカード積増し装置に投入された貨幣の識別を行い、前記貨幣が正規の貨幣であった場合、投入された貨幣金額をＩＣカードに積増し、積増し後の金額を表示部に表示した後、ＩＣカードを利用客に返却している。（例えば、特許文献１参照）
【０００３】
従来のＩＣカード積増し装置は積増し処理専用装置になっており、スペースの限られた路線バスの車両内に設置することは困難なため、特定の駅または停留場等に設置されている。したがって、ＩＣカードの積増しを行うには、ＩＣカード積増し装置が設置された駅または停留所に出かける必要があった。
【０００４】
上記の問題を解決するため、路線バスの車両内に設置される運賃精算装置にＩＣカード積増し装置を内蔵したものがある（例えば、本出願人の先行出願である特願２００３−７６７０９号明細書を参照。）。この場合、運賃精算装置には、非接触式ＩＣカードによる運賃精算およびＩＣカードの積増しを行うＩＣカードリーダライタと、硬貨による運賃精算を行う硬貨処理部と、紙幣を硬貨に両替する両替部と、積増しを選択する積増しボタンが設けられている。
【０００５】
運賃精算装置のＩＣカードリーダライタに非接触式ＩＣカードがかざされると、非接触式ＩＣカードに記録されたカードＩＤ、金額データ、乗車地データ等が読取られ、非接触式ＩＣカードから読取った乗車地データと現在地とから運賃メモリを参照して乗車運賃が算出される。算出された乗車運賃が非接触式ＩＣカードの金額データから減算処理され、その残額が新たな金額データとしてＩＣカードリーダライタを介して非接触式ＩＣカードに記録される。
【０００６】
上記の運賃精算装置でＩＣカードの積増し処理を行う場合、積増し処理に要する時間を短縮するため、駅等に設置される積増し処理専用装置とは異なり、積増しするＩＣカードを積増し処理専用装置内に取込まず、ＩＣカードを積増し装置のＩＣカードリーダライタにかざした状態で積増し処理を行う。即ち、ＩＣカードの積増しを行う場合、利用客または乗務員によって上記積増しボタンが押されると、積増し処理する非接触式ＩＣカードをＩＣカードリーダライタにかざした状態で上記両替部に紙幣が投入され、その金額がＩＣカードリーダライタを介してＩＣカードに積増しされる。なお、両替部に紙幣を投入する際、ＩＣカードをＩＣカードリーダライタにかざした状態に保てるよう、ＩＣカードリーダライタにはＩＣカードを置くスペースが設けられ、上記ＩＣカードリーダライタにＩＣカードを置いた状態で紙幣が投入できるようにされている。
【特許文献１】特開２００３−３６４６６号公報
【発明の開示】
【発明が解決しようとする課題】
【０００７】
ところで、運賃精算装置に内蔵したＩＣカード積増し装置でＩＣカードの積増しを行う場合、ＩＣカード積増し装置のＩＣカードリーダライタのアンテナが埋め込まれた面が傾斜していると、ＩＣカードを上記アンテナが埋め込まれた面上に置くことができず、積増し処理がしづらいという問題があった。
【０００８】
上記問題を解決するため、ＩＣカードリーダライタ上にＩＣカードを置いた状態で積増し処理するのではなく、積増しのための紙幣が両替部に投入された直後にＩＣカードリーダライタにかざされたＩＣカードに対して積増し処理することも考えられるが、紙幣を投入した利用客がＩＣカードをＩＣカードリーダライタにかざす前に、紙幣を投入した利用客とは別の利用客が、降車時の運賃精算を急ぐあまり、ＩＣカードリーダライタにＩＣカードをかざすことがある。この場合、本来、積増し処理すべきでないＩＣカードに対して積増し処理してしまい、積増し処理すべきＩＣカードには積増しされないという問題があった。
【課題を解決するための手段】
【０００９】
請求項１に記載のＩＣカード積増し装置は、少なくともＩＣカードに記録されたカードＩＤと金額データとを読取り、かつ、金額データをＩＣカードに記録するＩＣカードリーダライタと、投入された貨幣の金額を読取る貨幣処理手段と、上記ＩＣカードリーダライタによって読取られたカードＩＤと上記貨幣処理手段によって読取られた貨幣金額とを記憶する記憶手段とを備えたＩＣカード積増し装置において、上記ＩＣカードリーダライタにＩＣカードがかざされると、該ＩＣカードに記録されたカードＩＤが読取られるとともに上記記憶手段に記憶され、その後、投入された貨幣が上記貨幣処理手段によって読取られるとともに上記記憶手段に記憶され、再度、上記ＩＣカードリーダライタにＩＣカードがかざされることによって読取られたカードＩＤが、上記記憶手段に記憶されたカードＩＤと一致すると、該ＩＣカードから読取られた金額データに、上記記憶手段に記憶された貨幣金額を加算して、加算後の金額データを上記ＩＣカードリーダライタを介して該ＩＣカードに記録することを特徴とする。
【００１０】
請求項２に記載のＩＣカード式運賃精算装置は、ＩＣカードに記憶された乗車地データと現在地とから乗車運賃を算出し、該乗車運賃を該ＩＣカードに記憶された金額データから減算処理して、減算後の金額を新たな金額データとして該ＩＣカードに記録するＩＣカード式運賃精算処理手段と、上記請求項１に記載のＩＣカード積増し装置の有するＩＣカード積増し手段とを備えたＩＣカード式運賃精算装置であって、運賃精算またはＩＣカードの積増しのいずれかを選択する選択手段を有し、上記選択手段でＩＣカードの積増しが選択されると、上記ＩＣカード積増し手段によりＩＣカードの積増し処理を行うことを特徴とする。
【００１１】
（作用）
請求項１に記載の発明によれば、ＩＣカードリーダライタにＩＣカードがかざされると、ＩＣカードに記録されたカードＩＤおよび金額データが読取られ、そのカードＩＤを記憶手段に記憶され、貨幣処理手段に貨幣が投入された後、ＩＣカードリーダライタにかざされたＩＣカードのカードＩＤが読取られ、読取られたカードＩＤが上記記憶手段に記憶されたカードＩＤと一致するか判定され、カードＩＤが一致した場合、そのＩＣカードに対して積増し処理が行われる。
【００１２】
請求項２に記載の発明によれば、ＩＣカード式運賃精算装置において、選択手段でＩＣカードの積増しが選択されると、ＩＣカード積増し手段により、ＩＣカードの積増し処理が行われる。
【発明の効果】
【００１３】
本発明によれば、貨幣が投入された後にＩＣカードリーダライタにかざされたＩＣカードのカードＩＤが、貨幣が投入される前にＩＣカードリーダライタにかざされたカードＩＤと一致するとＩＣカードの積増し処理を行うため、積増しすべきＩＣカードを確実に積増し処理することができる。
【発明を実施するための最良の形態】
【００１４】
以下、本発明の実施の形態を図面を参照して説明する。図１はＩＣカード積増し装置を運賃精算装置１に内蔵した例を示したものである。上記運賃精算装置１はＩＣカードおよび現金による運賃精算が可能な装置で、ＩＣカードに記録されているデータの読取りおよび記録を行うＩＣカードリーダライタ２と、現金での運賃精算および両替を行う現金処理部３と、ＩＣカードへの積増しを行う際、利用客または乗務員によって操作される積増しボタン４と、これらを制御する制御部５とからなり、バスの降車口の乗客用通路近くに設けられる。なお、この実施例では上記ＩＣカードは非接触式のＩＣカードが用いられる。
【００１５】
バスの運行に際し、乗務員はこれから走るべき路線の系統番号を図示しない系統スイッチで設定する。ＣＰＵ５１は系統スイッチの設定に応じて、図示しない停留所信号を受信する都度、運行メモリ５２及び運賃メモリ５３よりその系統番号の運行データと運賃データとを読出し、ワークメモリ５４に記憶し、必要に応じて諸データの読出しができる状態を作る。
【００１６】
上記運賃精算装置１は、運賃精算を行う精算モードと、ＩＣカードに記録された金額情報の加算処理を行う積増しモードとを有している。通常、運賃精算装置１は精算モードの状態にあり、上記積増しボタン４が押された場合のみ、積増しモードに移行する。
【００１７】
次に、現金処理部３について説明する。上記現金処理部３は、硬貨処理部３１と紙幣処理部３２とからなる。なお、この実施例における現金での運賃精算は、上記硬貨処理部３１に硬貨が投入されることにより運賃精算されるものとし、紙幣による運賃精算については、上記紙幣処理部３２によって紙幣が硬貨に両替された後、上記硬貨処理部３１によって運賃精算されるものとする。また、ＩＣカードへの積増し処理は、積増しモードにおいて、上記紙幣処理部３２に紙幣が投入された場合、行われるものとする。
【００１８】
上記硬貨処理部３１は、硬貨の投入を検出する硬貨検出手段３１ａと、硬貨と整理券とを分離する券銭分離手段３１ｂと、硬貨を計数する硬貨計数手段３１ｃと、整理券の記録情報を読取る整理券読取り手段３１ｄとからなり、上記紙幣処理部３２は、紙幣の投入を検出する紙幣検出手段３２ａと、紙幣を計数する紙幣計数手段３２ｂと、投入された紙幣を一時保留する紙幣保留部３２ｃと、紙幣を収納する紙幣収納部３２ｄとからなる。
【００１９】
以下に、運賃精算装置１の処理の流れを図２および図３を用いて以下に説明する。
運賃精算装置１では、ＩＣカードの積増し処理を行う積増しボタン４が操作されたかチェックされる（Ｓ１）。
【００２０】
積増しボタン４が押されていない状態では、上記運賃精算装置１は精算モードの状態にある。精算モードにおいて、ＩＣカードがＩＣカードリーダライタ２にかざされると（Ｓ２）、ＩＣカードによる運賃精算と判定され、上記ＩＣカードに記録されたカードＩＤ、乗車地データ、金額データが読取られる（Ｓ３）。ＣＰＵ５１は、上記ワークメモリ５４に記憶された運賃データを参照して、上記ＩＣカードから読取った乗車地データと現在地とから乗車運賃が算出され（Ｓ４）、その算出された乗車運賃が上記ＩＣカードの金額データから減算され（Ｓ５）、その残額が上記ＩＣカードリーダライタ２により新たな金額データとしてＩＣカードに記録される（Ｓ６）。なお、ＩＣカードに記録された乗車地データは乗車時に記録されるものであるが、乗車時におけるＩＣカードの記録手段および記録方法については本発明とは直接関係がないため説明を省略する。
【００２１】
精算モードにおいて、現金による運賃精算として上記硬貨処理部３１に硬貨と整理券が一括投入されると、上記硬貨検出手段３１ａで硬貨が検出され（Ｓ７）、現金による運賃精算と判定さる。硬貨処理部３１に投入された硬貨と整理券が上記券銭分離手段３１ｂで分離され（Ｓ８）、分離された整理券に記録されている乗車地データが整理券読取り手段３１ｄで読取られると（Ｓ９）、その乗車地データと現在地とから上記ワークメモリ５４に記憶された運賃データを参照して乗車運賃が算出される（Ｓ１０）。上記分離された硬貨が、上記硬貨計数手段３１ｃで計数され（Ｓ１１）、計数された金額が乗車運賃と一致すると運賃精算が終了する（Ｓ１２）。運賃精算後、投入された硬貨及び整理券は、それぞれ図示しない硬貨収納部、整理券収納部に収納される。なお、上記乗車地データは乗車時に整理券に記録されるものであるが、整理券発行手段については本発明とは直接関係がないため説明を省略する。
【００２２】
精算モードにおいて、上記紙幣処理部３２に紙幣が投入されると、上記紙幣検出手段３２ａにより紙幣の投入が検出され（Ｓ１３）、上記紙幣計数手段３２ｂによって投入された紙幣の金額が計数され（Ｓ１４）、両替としての硬貨が図示しない硬貨排出口に排出される（Ｓ１５）。なお、投入された紙幣は両替としての硬貨が排出口に排出された後、上記紙幣収納部３２ｄに収納される（Ｓ１６）。
【００２３】
積増しボタン４が押されると、上記運賃精算装置１は精算モードから積増しモードに移行する。積増しモードにおいて、ＩＣカードがＩＣカードリーダライタ２にかざされると、ＩＣカードがＩＣカードリーダライタ２で検出され（Ｓ１７）、ＩＣカードに記録されたカードＩＤ、乗車地データ、金額データが読取られ（Ｓ１８）、そのカードＩＤがワークメモリ５４に記憶される（Ｓ１９）。このとき、上記紙幣処理部３２に紙幣が投入されると、上記紙幣検出手段３２ａにより紙幣の投入が検出され（Ｓ２０）、上記紙幣計数手段３２ｂによって投入された紙幣の金額が計数されるとともに、その金額が上記ワークメモリ５４に記憶され（Ｓ２１）、投入された紙幣が紙幣保留部３２ｃで一旦保留される（Ｓ２２）。
【００２４】
積増しするＩＣカードが再度ＩＣカードリーダライタ２にかざされ、ＩＣカードがＩＣカードリーダライタ２で検出されると（Ｓ２３）、ＩＣカードに記録されたカードＩＤ、乗車地データ、金額データが読取られる（Ｓ２４）。ＣＰＵ５１は、読取ったカードＩＤがワークメモリ５４に記憶されているカードＩＤと一致するか判断し、カードＩＤが一致すれば（Ｓ２５）、積増しすべきＩＣカードと判断して、ワークメモリ５４に記憶された紙幣金額をＩＣカードから読取られた金額データに加算し、加算処理後の金額が新たな金額データとしてＩＣカードリーダライタ２によりＩＣカードに記録される（Ｓ２６）。
【００２５】
読取られたカードＩＤがワークメモリ５４に記憶されているカードＩＤと一致しない場合、ＩＣカードリーダライタ２にかざされたＩＣカードは、積増しすべきＩＣカードではないと判断して、金額データの積増しを行わず、積増し処理すべきＩＣカードがＩＣカードリーダライタ２にかざされるまで待機状態となる。
【００２６】
ＩＣカードの積増し処理が完了すると、紙幣保留部３２ｃに保留していた紙幣は紙幣収納部３２ｄに収納され（Ｓ２７）、ワークメモリ５４に記憶されたカードＩＤと紙幣金額に対し、積増し終了の情報が追加記憶される（Ｓ２８）。なお、積増しのための紙幣を投入した後、図示しないキャンセルボタンが押された場合やＩＣカードの積増し処理が正常終了しなかった場合には、上記紙幣保留部３２ｃで保留していた紙幣が利用客に返却され（Ｓ２９）、ワークメモリに記憶した情報がクリアされる（Ｓ３０）。また、積増しボタンが押されてから一定時間内にＩＣカードが検出されなかったり、積増しのための紙幣が投入されなかった場合、積増し処理はキャンセルされたものとして、精算モードに復帰する。
【００２７】
なお、本実施例では、紙幣処理部３２に投入された紙幣金額を積増し処理すると記載したが、硬貨処理部３１に投入された硬貨金額を積増し処理するようにしてもよい。
【図面の簡単な説明】
【００２８】
【図１】この発明による積増し装置のブロック図である。
【図２】ＩＣカードの積増し処理装置における精算モードのフローチャートである。
【図３】ＩＣカードの積増し処理装置における積増しモードのフローチャートである。
【符号の説明】
【００２９】
１・・・積増し装置、２・・・ＩＣカードリーダライタ、３・・・現金処理装部、４・・・積増しボタン、５・・・制御部
【図１】
2005100294.tif 000003
【図２】
2005100294.tif 000004
【図３】
2005100294.tif 000005